(57)【要約】【課題】ユーザが通常よりも速い速度でタッチパネル付き携帯電話機を耳等に近づけた場合であってもタッチパネルからの誤入力を防止することができる携帯電話機を提供する。【解決手段】本発明に係る携帯電話機は、接触による情報入力が可能なタッチパネルと、通話時における前記タッチパネルの人体への接近を検出する近接センサと、加速度を検出する加速度センサと、前記近接センサが前記人体への接近を検出したとき前記タッチパネルからの前記情報入力を禁止する一方、前記加速度センサから出力される検出加速度の大きさに応じて前記近接センサの感度を制御する制御部と、を備え、前記制御部は、前記検出加速度が所定の閾値を越えた場合は、前記感度を予め設定されている通常感度よりも高い感度に設定する、ことを特徴とする。【選択図】  図２
2011061316.tif 000002
【特許請求の範囲】
【請求項１】
接触による情報入力が可能なタッチパネルと、
通話時における前記タッチパネルの人体への接近を検出する近接センサと、
加速度を検出する加速度センサと、
前記近接センサが前記人体への接近を検出したとき前記タッチパネルからの前記情報入力を禁止する一方、前記加速度センサから出力される検出加速度の大きさに応じて前記近接センサの感度を制御する制御部と、を備え、
前記制御部は、前記検出加速度が所定の閾値を越えた場合は、前記感度を予め設定されている通常感度よりも高い感度に設定する、
ことを特徴とする携帯電話機。
【請求項２】
前記近接センサは、所定量の赤外線を放射し、前記人体からの前記赤外線の反射の有無によって前記人体への接近を検出するセンサであり、
前記制御部は、前記検出加速度が所定の閾値を越えた場合は、前記赤外線の放射量を予め設定されている通常の放射量よりも強い放射量に設定することによって、前記近接センサを前記通常の感度から前記高い感度に設定する、
ことを特徴とする請求項１に記載の携帯電話機。
【請求項３】
前記近接センサは、所定の繰返し周期でパルス状に赤外線を放射し、前記人体からの前記赤外線の反射の有無によって前記人体への接近を検出するセンサであり、
前記制御部は、前記検出加速度が所定の閾値を越えた場合は、前記繰り返し周期を予め設定されている通常の繰返し周期よりも短い繰り返し周期に設定することによって、前記近接センサを前記通常の感度から前記高い感度に設定する、
ことを特徴とする請求項１に記載の携帯電話機。
【請求項４】
前記制御部は、前記検出加速度が、前記所定の閾値よりも低い第２の閾値よりも小さい場合は、前記近接センサの電源をオフとする、
こと特徴とする請求項１に記載の携帯電話機。
【請求項５】
前記制御部は、前記近接センサを前記通常の感度から前記高い感度に設定した後、規定時間が経過すると前記高い感度から前記通常の感度に戻す、
ことを特徴とする請求項１に記載の携帯電話機。
【発明の詳細な説明】
【技術分野】
【０００１】
本発明は、携帯電話機に係り、特に、タッチパネルを搭載した携帯電話機に関する。
【背景技術】
【０００２】
近時、携帯電話機に種々のセンサを搭載し、携帯電話機の利便性を向上させたり、省電力化を図ったりする技術が開発されている。例えば、特許文献１には、携帯電話機に加速度センサや赤外線センサを搭載して携帯電話機の姿勢や人体の接近を検出し、表示部の画面を見るために行ったユーザの挙動を推定することによって、通常電力モードと省電力モードとの切り替えを行う技術が開示されている。
【０００３】
他方、従来からのキー入力に換えて、或はキー入力を補完するために、ディスプレイパネルの上にタッチパネルを搭載した形態の携帯電話機（以下、タッチパネル付き携帯電話機と呼ぶ）が近時急速に普及しつつある。
【０００４】
タッチパネル付き携帯電話機では、タッチパネルから情報を入力するときには当然ながらタッチパネルはオンの状態（タッチパネルからの入力を可能とする状態）となっている。一方、タッチパネル付き携帯電話機で通話をするときには、タッチパネルが耳等に触れて誤動作しないようにタッチパネルをオフの状態（タッチパネルからの入力を不可能とする状態）にする制御が多く行われている。
【０００５】
タッチパネルのオン／オフ制御は、例えば、タッチパネルの近傍に配設される近接センサの検出信号に基づいて行われる。タッチパネル付き携帯電話機を耳等に近づけると近接センサがオンとなり、このオン信号によってタッチパネルをオフとすることにより、タッチパネルからの意図しない誤入力を排除している。逆に、タッチパネル付き携帯電話機を耳等から離すと近接センサがオフとなり、このオフ信号によってタッチパネルをオンとして、タッチパネルからの情報入力を可能としている。
【先行技術文献】
【特許文献】
【０００６】
【特許文献１】特開２００７−８０２１９号公報
【発明の概要】
【発明が解決しようとする課題】
【０００７】
しかしながら、人が通話をしようとするとき、タッチパネル付き携帯電話機を耳等に近づける速度は人によってまちまちである。また、同じ人であっても通話の都度、そのときの状況や気分によってタッチパネル付き携帯電話機を耳等へ近づける速度は異なる。
【０００８】
接近速度が通常よりも速い場合、近接センサが耳等への接近を検出してオンとなる前にタッチパネルが耳等に触れて誤入力が起こることがある。また、近接センサがオンとなったとしても、その検出信号を受けてタッチパネルをオフに移行させる前にタッチパネルが耳等に触れて誤入力が発生することもある。
【０００９】
本発明は上記事情に鑑みてなされたものであり、ユーザが通常よりも速い速度でタッチパネル付き携帯電話機を耳等に近づけた場合であっても、タッチパネルからの誤入力を防止することができる携帯電話機を提供することを目的とする。
【課題を解決するための手段】
【００１０】
上記課題を解決するため、本発明に係る携帯電話機は、接触による情報入力が可能なタッチパネルと、通話時における前記タッチパネルの人体への接近を検出する近接センサと、加速度を検出する加速度センサと、前記近接センサが前記人体への接近を検出したとき前記タッチパネルからの前記情報入力を禁止する一方、前記加速度センサから出力される検出加速度の大きさに応じて前記近接センサの感度を制御する制御部と、を備え、前記制御部は、前記検出加速度が所定の閾値を越えた場合は、前記感度を予め設定されている通常感度よりも高い感度に設定する、ことを特徴とする。
【発明の効果】
【００１１】
本発明に係る携帯電話機によれば、ユーザが通常よりも速い速度でタッチパネル付き携帯電話機を耳等に近づけた場合であっても、タッチパネルからの誤入力を防止することができる。
【図面の簡単な説明】
【００１２】
【図１】本発明の一実施形態に係る携帯電話機の外観例を示す斜視図。
【図２】本発明の一実施形態に係る携帯電話機の構成例を示すブロック図。
【図３】タッチパネルのオン・オフ制御の処理例を示すフローチャート。
【図４】近接センサの感度制御の処理例を示すフローチャート。
【図５】赤外線パルス方式の近接センサの感度制御の動作概念の一例を示す図。
【発明を実施するための形態】
【００１３】
本発明に係る携帯電話機の実施形態について添付図面を参照して説明する。
【００１４】
（１）携帯電話機の構成と全般動作
図１は、本発明の実施形態に係る携帯電話機１の典型例として、スライド型のタッチパネル付き携帯電話機の外観例を示す図である。
【００１５】
携帯電話機１は、下筐体１１と上筐体１０とを具備しており、下筐体１１と上筐体１０とは図１の矢印Ｘ方向にスライド可能に結合されている。
【００１６】
図１（Ａ）は、上筐体１０を開いた状態（開状態）を示す斜視図であり、図１（Ｂ）は、上筐体１０を閉じた状態（閉状態）を示す斜視図である。
【００１７】
図１（Ａ）に示したように、上筐体１０を開くと下筐体１１の操作面が現れ、操作面にはキーボード１５が設けられている。下筐体１１は各種の電子部品を実装するプリント基板を収容しており、後述する加速度センサ４２もこのプリント基板に実装されている。
【００１８】
一方、上筐体１０の表面には、液晶パネルや有機ＥＬパネル等で構成されるディスプレイパネル１２が設けられており、さらにタッチパネル１６がディスプレイパネル１２を覆うように設けられている。
【００１９】
タッチパネル１６の上方（図１（Ａ）において左上方）には通話用のレシーバ１３が設けられており、タッチパネル１６の下方（図１（Ａ）において右下方）にも通話用のマイク１４が設けられている。また、レシーバ１３の隣には、後述する近接センサ４１が設けられている。
【００２０】
電子メールで文字情報等を入力する場合や、文書作成アプリケーションを利用する場合等では、上筐体１０を開いた状態でキーボード１５を使用することによって効率の良い情報入力が可能となる。
【００２１】
一方、携帯電話機１を単に持ち運ぶ場合や、単に机上等に置いておく場合には、通常は上筐体１０を閉じた状態となっている。上筐体１０をスライドさせて閉じると、図１（Ｂ）に示すように、キーボード１５は上筐体１０の下に隠れ、タッチパネル１６（及びディスプレイパネル１２）、レシーバ１３、マイク１４、及び近接センサ４１が表側に露出した状態となる。
【００２２】
開状態から閉状態にすると、予め設定した時間経過後、省電力化のためにディスプレイパネル１２は消灯し（ディスプレイパネル１２がオフとなり）、タッチパネル１６からも入力できない状態（タッチパネル１６がオフの状態）となる。
【００２３】
この状態で着呼があると、ディスプレイパネル１２とタッチパネル１６はいずれもオンの状態に戻り、ディスプレイパネル１２の一部に「着信」キーが表示される。ユーザは「着信」キーの上からタッチパネル１６を押下して通話可能な状態にする一方、携帯電話機１を持ち上げて耳に近づけ、通話を開始する。
【００２４】
ユーザが「携帯電話機１」を耳に近づけて通話をしているとき、タッチパネル１６が耳等の人体に接触し、本来意図しない操作情報がタッチパネル１６から誤入力される可能性がある。ディスプレイパネル１２には、通話を終了させるための「終話」キーも表示されており、「終話」キーの上からタッチパネル１６を押下すると、通信が切断されるようになっている。ユーザが通話中に「終話」キーの上のタッチパネル１６に誤って接触すると通話が突然停止することになる。
【００２５】
このような事態を回避するため、本実施形態に係る携帯電話機１には近接センサ４１が設けられており、携帯電話機１が人体等に近づいたことを検出している。携帯電話機１と人体等の距離が所定の距離以下になると近接センサ４１から近接検出信号が出力され、タッチパネル１６をオフするようなっている。この結果、通話中にタッチパネル１６が耳等に触れても誤操作しないようにしている。
【００２６】
しかしながら、ユーザが携帯電話機１を急激に耳等に近づけた場合、近接センサ１６が動作する前に、或は近接センサ１６が動作した後にタッチパネル１６がオフとなる前に、タッチパネル１６が耳等に人体に接触して誤動作することもあり得る。本実施形態に係る携帯電話機１では、このように急激に携帯電話機１を耳等に接近させた場合でも確実にタッチパネル１６をオフさせることができるようにしている。具体的な処理内容については後述する。
【００２７】
図２は、本実施形態に係る携帯電話機１の構成例を示すブロック図である。携帯電話機１は、ＲＦ部２０、ベースバンド部３０、制御部４０、キーボード１５、ディスプレイパネル１２、タッチパネル１６、近接センサ４１、加速度センサ４２等を備えている。
【００２８】
ＲＦ部２０は、アンテナ２１、セレクタ２２、受信部２３、ローカル発振部２４、及び送信部２５等を備えて構成されている。送信部２５では、ベースバンド部３０から出力される信号を、ローカル発振部２４で生成されるローカル信号によって周波数変換し、さらに増幅した後、セレクタ２２、アンテナ２１を介して基地局に出力する。一方、基地局からの信号は、アンテナ２１、セレクタ２２を介して受信部２３へ入力され、ローカル信号によってベースバンド信号に変換される。
【００２９】
ベースバンド部３０は、ＣＤＭＡ信号処理部３１、圧縮/伸張処理部３２、ＰＣＭ変調/復号部３３を具備する他、レシーバ１３、マイク１４等を有している。
【００３０】
マイク１４から入力された音声は、ＰＣＭ変調/復号部３３でデジタル化された後、圧縮/伸張処理部３２で圧縮処理される。その後、ＣＤＭＡ信号処理部３１にて所定のＣＤＭＡ方式に基づいて変調され、ＲＦ部２０に出力される。ＲＦ部２０から入力されるベースバンド信号に対してはこの逆方向の処理が行われる。ＣＤＭＡ信号処理部３１にて復調処理が行われた後圧縮/伸張処理部３２でデータ伸張され、その後ＰＣＭ変調/復号部３３にてアナログ音声信号に変換される。アナログ音声信号はレシーバ１３に出力される。
【００３１】
制御部４０は、ＲＦ部２０やベースバンド部２１の制御のほか、キーボード１５やディスプレイパネル１２の制御等を含めた携帯電話機１の全体の制御を行っている。特に、本実施形態に係る携帯電話機１の特徴的な制御として、近接センサ４１から出力される近接検出信号によってタッチパネル１６のオン・オフ制御を行ったり、加速度センサ４２から出力される検出加速度から近接センサ４１の感度制御を行ったりもしている。
【００３２】
近接センサ４１は、前述したように上筐体１０のレシーバ１３近傍に配設されており、携帯電話機１と人体等の距離が所定の距離以下となると近接検出信号を出力するようになっている。近接センサ４１の具体的な種類は特に限定するものではないが、例えば、赤外線方式の近接センサである。赤外線方式の近接センサ４１は、赤外線を放射する送信部と、人体等によって反射された赤外線を受信して検出する受信検出部を有している。送信部は、赤外線パルスを所定の繰り返し周期で放射している。
【００３３】
加速度センサ４２は、携帯電話機１に印加される加速度を例えば３軸方向に検出している。加速度センサ４２から出力される検出加速度の大きさ（絶対値）によって、携帯電話機１が机上等に置かれて停止している状態（重力以外の加速度がほぼゼロの状態）、人が移動しながら所持している状態（加速度が比較的小さい状態）、通話を開始するために携帯電話機１を急いで耳等に近づけている状態（大きな加速度が発生しうる状態）等を識別することができる。この加速度センサ４２は、重力加速度の３軸分力の大きさから、携帯電話機１の向きや姿勢を検出することもできる。
【００３４】
（２）タッチパネルのオン・オフ制御
次に、本実施形態に係る携帯電話機１に特徴的なタッチパネル１６のオン・オフ制御について説明する。
【００３５】
図３は、携帯電話機１の通話時におけるタッチパネル１６のオン・オフ制御に関する処理例を示すフローチャートである。図３に示す各処理は主に制御部４０で行われる処理である。
【００３６】
ステップＳＴ１０は、携帯電話機１の電源がオンの状態で着呼を待っている状態である。着呼があると、ディスプレイパネル１２、タッチパネル１６、及び近接センサ４１を夫々オンの状態に設定する（ステップＳＴ１１）。
【００３７】
次に、近接センサ４１の感度制御を行う（ステップＳＴ１２）。感度制御の詳細な動作は、図４を用いて後述する。
【００３８】
ステップＳＴ１３では、ステップＳＴ１２で制御された近接センサ４１の感度に従って人体等の接近を検出する。人体等の接近が検出されたときは、タッチパネル１６をオフとし（ステップＳＴ１４）、通話中の不用意なタッチパネル１６への接触による誤動作を防止している。通話が終了すると（ステップＳＴ１５のＹＥＳ）、ステップＳＴ１０に戻り、次の着呼を待つ。
【００３９】
図４は、検出加速度を利用する近接センサ４１の感度制御処理の一例を示すフローチャートである。
【００４０】
図４のステップＳＴ２０では、加速度センサ４２の検出加速度が第２の閾値以上か否かの判定を行っている。この判定は、携帯電話機１が少しでも動きのある状態にいるのか、逆に机上等に置かれて全く動きのない状態にいるのかを判定するものであり、第２の閾値としてはゼロに近い小さな値が用いられる。
【００４１】
検出加速度が第２の閾値に満たない場合は、携帯電話機１に物理的な動きがないと判断され、この状態では通話のために携帯電話機１が耳等の人体に接近する可能性は極めて低いため、近接センサ４１に供給する電源をオフにして近接センサ４１の動作を停止させるようにしている（ステップＳＴ２１）。この停止処理によって近接センサ４１の不要な電力消費を節約することができる。
【００４２】
また、近接センサ４１をオフとすることによって、一旦オンとなったタッチパネル１６はその状態が維持されることになる。例えば、机上に置いてある携帯電話機１に着呼があった場合には、手等が近接センサ４１に接近してもタッチパネル１６はオンのままである。このため、携帯電話機１が机上に置かれた状態で、近接センサ４１の位置を気にすることなく確実に素早く「着信」キーを押すことが可能となり、使い勝手がよくなる。
【００４３】
一方、検出加速度が第２の閾値以上の場合は携帯電話機１に何らかの物理的な動きがあると判断される。この場合、第２の閾値よりも大きな第１の閾値（所定の閾値）を用いた判定をさらに行う（ステップＳＴ２２）。第１の閾値は、携帯電話機１に加わっている加速度が、歩行や電車等による移動に伴って発生しうる比較的小さな加速度の範囲なのか、或はユーザが着呼に反応して、携帯電話機１を急いで耳等に近づけることのよって生じる大きな加速度なのかを判定するための閾値である。
【００４４】
検出加速度が第１の閾値よりも小さい場合（ステップＳＴ２２のＮＯ）は、近接センサ４１の感度を通常感度に設定する（ステップＳＴ２３）。他方、検出加速度が第１の閾値よりも大きい場合（ステップＳＴ２２のＹＥＳ）は、近接センサ４１の感度を通常感度よりも高い感度に設定する（ステップＳＴ２４）。
【００４５】
ここで用いている近接センサ４１の「感度」は広義の意味で使用しており、近接センサ４１の検出距離や応答時間等の指標に対応させて使用している。つまり、「近接センサ４１の感度を通常感度より高い感度に設定する」ことは、「近接センサ４１の検出距離を通常の検出距離よりも大きな検出距離に設定する」ことや、「近接センサ４１の応答時間を通常の応答時間よりも短い応答時間に設定する」こととほぼ同義として使用している。
【００４６】
近接センサ４１の感度の設定方法は特に限定するものではなく、近接センサ４１の方式によって種々の方法を取りうる。
【００４７】
近接センサ４１が、所定量の赤外線を放射し、人体等からの赤外線の反射の有無によって人体等への接近を検出する方式のセンサである場合、赤外線の放射量を予め設定されている通常の放射量よりも強い放射量に設定することによって、通常の検出距離よりも大きな検出距離に設定するが可能となる。即ち、近接センサ４１を通常感度より高い感度に設定することができる。
【００４８】
また、近接センサ４１が、所定の繰返し周期でパルス状に赤外線を放射し、人体等からの赤外線の反射の有無によって人体等への接近を検出する方式のセンサである場合、赤外線パルスの繰り返し周期を予め設定されている通常の繰返し周期よりも短い繰り返し周期に設定することによって、通常の応答時間よりも短い応答時間に設定することができる。即ち、近接センサを通常の感度から高い感度に設定することができる。
【００４９】
図５は、赤外線パルスの繰返し周期を、通常の繰り返し周期よりも短い周期に設定することよって近接センサ４１の感度を高くできることを示す動作概念図である。
【００５０】
図５（ａ）は、加速度センサの出力を利用しない従来の方法を示す図である。従来の方法では、赤外線パルスは常に予め定められた通常の繰返し周期で送信されている。図中、＜Ａ＞のタイミングで着呼があり、＜Ｂ＞のタイミングでユーザが携帯電話機１を耳に近づける動作（急激な移動動作）を開始したものとしている。また、＜Ｃ＞のタイミングで、タッチパネル１６が耳等の人体に接触するものと仮定している。
【００５１】
この場合、タイミング＜Ａ＞でタッチパネル１６と近接センサ４１はオンとなる。タイミング＜Ｂ＞の直後の赤外線パルス＜１＞が放射されたときは、携帯電話機１が未だ検出可能範囲に入っていないため、タッチパネル１６はオンのままである。一方、赤外線パルス＜１＞の次に赤外線パルス＜２＞が放射されたときには、既に携帯電話機１はタッチパネル１６がオンの状態のまま耳等の人体に接触している。この結果、意図しない誤作動が起こる可能性がある。
【００５２】
他方、図５（ｂ）は、加速度センサ４２の出力を利用する本実施形態に係る方法を示す図である。携帯電話機１の着呼タイミング＜Ａ＞と、位置や動きのタイミング＜Ｂ＞及び＜Ｃ＞は図５（ａ）と同じものを仮定している。
【００５３】
本実施形態に係る携帯電話機１では、タイミング＜Ｂ＞でユーザが携帯電話機１を耳に近づける動作を開始すると、加速度センサ４２は第１の閾値よりも大きな加速度を検出する。この検出を受けて、近接センサ４１は赤外線パルスの繰り返し周期を、通常の繰り返し周期よりも短い繰り返し周期に設定する。赤外線パルス＜１＞が放射された時点では、図５（ａ）と同じく携帯電話機１が未だ検出可能範囲に入っていないため、タッチパネル１６はオンのままである。しかしながら、赤外線パルスの繰り返し周期が短くなったことのより、赤外線パルス＜１＞の次の赤外線パルス＜３＞は、タッチパネル１６が耳等の人体に接触する前に放射される。赤外線パルス＜３＞のタイミングでは、携帯電話機１は近接センサ４１の検出可能範囲に入っており、近接センサ４１は人体等の接近を検出し、タッチパネル１６をオフとする。この結果、タッチパネル１６が人体等に接触するタイミング＜Ｃ＞では、既にタッチパネル１６はオフの状態となっており、接触による誤動作を回避することができる。
【００５４】
ユーザが携帯電話機１を一度耳等に近づけてタッチパネル１６をオフにした後は、近接センサ４１の高感度を維持する必要性はない。このため、図４のステップＳＴ２５では、近接センサ４１を高感度に設定した後に規定時間の経過を待ち、規定時間が経過した場合は近接センサ４１の感度を通常の感度に戻している。
【００５５】
以上説明してきたように、本実施形態に係る携帯電話機１によれば、ユーザが通常よりも速い速度でタッチパネル付き携帯電話機を耳等に近づけた場合であっても、タッチパネルからの誤入力を防止することができる。
【００５６】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【符号の説明】
【００５７】
１  携帯電話機
１２  ディスプレイパネル
１６  タッチパネル
４０  制御部
４１  近接センサ
４２  加速度センサ
【図１】
2011061316.tif 000003
【図２】
2011061316.tif 000004
【図３】
2011061316.tif 000005
【図４】
2011061316.tif 000006
【図５】
2011061316.tif 000007